(57)【要約】【課題】  十分な放熱をなし得る電気装置用キャビネットを提供する。【解決手段】  全面の少なくとも１つから吸気可能な縦長箱形のキャビネット本体１の一側面にそのほぼ全面に及ぶ開口部４を設け、前記キャビネット本体の一側面に、それとほぼ同外形で比較的扁平な箱形を呈すると共に、上面、下面、正面及び背面の少なくとも１つに排気口７を設け、かつ、片面に設けられた多数の排気孔１６に排気ファン１７をそれぞれ取り付けたファンダクト５を、片面をキャビネット本体の一側面と対向させ、かつ、一側面の開口部を覆うようにして気密に取り付けた。【選択図】  図７
0003107156.tif 000002
【実用新案登録請求の範囲】
【請求項１】
全面の少なくとも１つから吸気可能な縦長箱形のキャビネット本体の一側面にそのほぼ全面に及ぶ開口部を設け、前記キャビネット本体の一側面に、それとほぼ同外形で比較的扁平な箱形を呈すると共に、上面、下面、正面及び背面の少なくとも１つに排気口を設け、かつ、片面に設けられた多数の排気孔に排気ファンをそれぞれ取り付けたファンダクトを、片面をキャビネット本体の一側面と対向させ、かつ、一側面の開口部を覆うようにして気密に取り付けたことを特徴とする電気装置用キャビネット。
【請求項２】
前記排気ファンが、所要数ずつ一括して分割され、かつ、ファンダクトに対して着脱可能に取り付けられていることを特徴とする請求項１記載の電気装置用キャビネット。
【考案の詳細な説明】
【技術分野】
【０００１】
本考案は、ＬＡＮやＷＡＮ等のデータ通信ネットワークに使用される電子・電気機器、その他の電子・電気機器を収容する電気装置用キャビネットに係り、特に、キャビネット内の電子・電気機器によって発生する熱の放散を改良した電気装置用キャビネットに関する。
【背景技術】
【０００２】
従来、電気装置用キャビネットは、電子・電気機器を収容する縦長箱形のキャビネット本体の底面、側面及び背面の少なくとも１つを吸気可能とし、電子・電気機器によって発生する熱を放散するため、上面に設けられた１又は２以上の排気孔に排気ファンを取り付けて構成されている。
【０００３】
しかしながら、従来の電気装置用キャビネットを設置する場合は、設置スペースのコンパクト化を図るため、側方へ隣接して多数並設されることが多く、吸気面の減少もあって、それぞれの上面に設けた排気ファンによる排気だけでは、放熱を十分に行うことが困難となる不具合がある。
【考案の開示】
【考案が解決しようとする課題】
【０００４】
本考案は、十分な放熱をなし得る電気装置用キャビネットを提供することを目的とする。
【課題を解決するための手段】
【０００５】
本考案の電気装置用キャビネットは、全面の少なくとも１つから吸気可能な縦長箱形のキャビネット本体の一側面にそのほぼ全面に及ぶ開口部を設け、前記キャビネット本体の一側面に、それとほぼ同外形で比較的扁平な箱形を呈すると共に、上面、正面及び背面の少なくとも１つに排気口を設け、かつ、片面に設けられた多数の排気孔に排気ファンをそれぞれ取り付けたファンダクトを、片面をキャビネット本体の一側面と対向させ、かつ、一側面の開口部を覆うようにして気密に取り付けたことを特徴とする。
【０００６】
前記排気ファンは、所要数ずつ一括して分割され、かつ、ファンダクトに対して着脱可能に取り付けられていることが好ましい。
【考案の効果】
【０００７】
本考案の電気装置用キャビネットによれば、従来の上面に比べて面積の大きな側面のほぼ全面を排気のために用いることが可能となるので、十分な放熱を行うことができる。
【０００８】
一方、排気ファンが、所要数ずつ一括して分割し、かつ、ファンダクトに対して着脱可能に取り付けられていることにより、所要数ずつの排気ファンのファンダクトからの取り外しが可能となるので、その点検保守や修理、交換等を容易に行うことができる。
【考案を実施するための最良の形態】
【０００９】
キャビネット本体に設けられる吸気のための開口部及びファンダクトに設けられる排気口には、エキスパンドメタルが内張りされていることが好ましい。
ファン取付けプレートが取り付けられるファンダクトの開口部には、その上下の開口縁にファン取付けプレートの出し入れを案内するガイドフランジが内方へ突設されていることが好ましい。
【実施例】
【００１０】
図１、図２、図３、図４、図５及び図６は本考案に係る電気装置用キャビネットの実施の形態の一例を示す正面図、右側面図、左側面図、背面図、平面図及び図１におけるVI−VI線矢視図である。
【００１１】
図中１は電子・電気機器（図示せず）を収容する縦長箱形の金属製のキャビネット本体で、その背面の下部には、エキスパンドメタル２を内貼りした吸気のための開口部３が設けられており、又、左側面には、電子・電気機器によって発生する熱を放散するための縦長矩形の開口部４がほぼ全面に及んで設けられている。
【００１２】
キャビネット本体１の左側面には、それとほぼ同外形で比較的扁平な箱形を呈するファンダクト５がビス止め等によって取り付けられている。
ファンダクト５は、電子・電気機器によって発生する熱により温められたキャビネット本体１内の空気を上方へ排出するためのものであり、図７に示すように、その上面には、エキスパンドメタル６を内貼りした矩形の排気口７がほぼ全面に及んで設けられていると共に、右側面、すなわち、キャビネット本体１の左側面と対向する面（図７においては左側面）には、キャビネット本体１の開口部４と連通する横長矩形の複数（図７においては３つ）の開口部８が上下方向へ適宜に離隔して設けられており、各開口部８の上、下の開口縁には、後述するファン取付けプレートの出し入れを案内するガイドフランジ９が内方へ突設されている。
又、ファンダクト５の背面には、縦長矩形の窓１０が上記各開口部８と対応してそれぞれ設けられており、これらの窓１０は、蓋１１により気密に閉鎖可能に設けられている。
【００１３】
そして、ファンダクト５の各開口部８は、それらとほぼ同外形の横長矩形のファン取付けプレート１２によってそれぞれ気密に閉鎖可能に設けられている。
ファン取付けプレート１２は、前記窓１０からファンダクト５内に出し入れされるものであり、図８〜図１０に示すように、その上、下縁には、ファンダクト５における開口部８のガイドフランジ９と摺接可能なフランジ１３が設けられ、かつ、ファン取付けプレート１２を開口部８に係止するため、フランジ１３におけるファン取付けプレート１２の一端部（図９においては左端部）側に、ファンダクト５の開口部８の側縁と係合可能な切欠き１４が設けられており、又、ファン取付けプレート１２を出し入れする際の引き手１５が、他端部（図９においては右端部）側を折曲して設けられている。
更に、ファン取付けプレート１２には、複数（図８においては４つ）の排気孔１６が適宜に離隔して設けられており、各排気孔１６には、図７に示すように、排気ファン１７がそれぞれ取り付けられている。
なお、ファン取付けプレート１２は、上述したように、フランジ１３をファンダクト１５のガイドフランジ９に摺接させつつ窓１０からファンダクト５内に挿入し、かつ、切欠き１４を開口部８の側縁に係止させた後、ボルト等の締結具（図示せず）によりファンダクト５に取り付けられるものである。
【００１４】
なお、図１において１８はキャビネット本体１のドア、図２、図３において１９は隣接するファンダクト付きキャビネット本体１を連結するボルト等の連結具（図示せず）が挿通される連結用孔であり、又、図７において２０はファンダクト５をキャビネット本体１に取り付けるための取付け孔、図７、図８において２１はファン取付けプレート１２をファンダクト５に取り付ける際の仮止め手段としてのマグネットキャッチである。
【００１５】
上記構成の電気装置用キャビネットにおいて、電子・電気機器によって発生する熱を放散するには、ファンダクト５に取り付けた各排気ファン１７を作動し、キャビネット本体１の背面下部の開口部３から外気を吸い込むと共に、キャビネット本体１内の温められた空気をファンダクト５内に取り込み、かつ、その排気口７から上方へ排出する。
又、排気ファン１７の点検保守や修理、交換等を行うには、ファンダクト５の蓋１１を取り外し、窓１０からファン取付けプレート１２を引き出して行う。
【００１６】
なお、上述した実施例においては、ファンダクト５をキャビネット本体１の左側面に取り付ける場合について説明したが、これに限定されるものではなく、上記左側面の他、ほぼ全面に及ぶ開口部を設けたキャビネット本体の右側面、正面又は背面の１つにファンダクト５を取り付けるようにしてもよい。
又、ファンダクト５の排気口７は、上面に設ける場合に限らず、上面の他、下面、正面及び背面の少なくとも１つにそのほぼ全面に及ぶ排気口を設け、かつ、排気口を覆うエキスパンドメタルをファンダクト５に内貼りするようにしてもよい。
【図面の簡単な説明】
【００１７】
【図１】本考案に係る電気装置用キャビネットの実施の形態の一例を示す正面図である。
【図２】図１の電気装置用キャビネットの右側面図である。
【図３】図１の電気装置用キャビネットの左側面図である。
【図４】図１の電気装置用キャビネットの背面図である。
【図５】図１の電気装置用キャビネットの平面図である。
【図６】図１におけるVI−VI線矢視図である。
【図７】図１の電気装置用キャビネットにおけるファンダクトの分解斜視図である。
【図８】図７のファンダクトにおける取付けプレートの正面図である。
【図９】図８のファン取付けプレートの平面図である。
【図１０】図８のファン取付けプレートの右側面図である。
【符号の説明】
【００１８】
１  キャビネット本体
３  開口部
４  開口部
５  ファンダクト
７  排気口
８  開口部
１２  ファン取付けプレート
１６  排気孔
１７  排気ファン
【図１】
0003107156.tif 000003
【図２】
0003107156.tif 000004
【図３】
0003107156.tif 000005
【図４】
0003107156.tif 000006
【図５】
0003107156.tif 000007
【図６】
0003107156.tif 000008
【図７】
0003107156.tif 000009
【図８】
0003107156.tif 000010
【図９】
0003107156.tif 000011
【図１０】
0003107156.tif 000012